(57)【要約】【課題】使用時に包装を外す必要がなく、迅速且つ便利に帯状物を取り出すことができる、帯状物用包装の提供。【解決手段】主に、カバー体、背面板及び内容物から構成され、そのうち、前記内容物は巻き取り式の帯状物であり、前記カバー体は適当な位置に１つまたは複数の収容部を備え、前記収容部の形状及び大きさはその内容物の形状及び大きさより若干大きく設け、且つ、側面から見ると、前記収容部の中央部は略半円形で片側または両側が徐々に外側に広がる形状を呈し、内容物を前記収容部に設置した後、最後にカバー体の四周を背面板上に封止し、且つ、前記収容部前端のカバー体または背面板に蓋体を備えた開口部を開設し、一定長さの内容物を前記開口部の位置まで留めておく。このほか、前記背面板上方の適当な位置に掛け孔を開設する。  【選択図】図２
0003122850.tif 000002
【実用新案登録請求の範囲】
【請求項１】
主にカバー体、背面板及び内容物から構成され、前記内容物が巻き取られた形態の帯状物であり、そのうち、前記カバー体が適当な位置に収容部を備え、前記収容部の形状及び大きさが前記内容物の形状及び大きさより若干大きく設けられ、前記内容物を前記収容部に設置した後、前記カバー体の四周を前記背面板上に封止し、且つ、前記在背面板上の前記収容部前端の位置に取り出し用の開口部を設けた構成をしたことを特徴とする帯状物用包装。
【請求項２】
前記収容部の形状が側面から見ると中央部が略半円形であり両側が外側に向かって広がる形状を呈する構成をしたことを特徴とする請求項１に記載の帯状物用包装。
【請求項３】
前記収容部の形状が側面から見ると中央部が略半円形であり片側が徐々に外側に向かって広がる形状を呈する構成をしたことを特徴とする請求項１に記載の帯状物用包装。
【請求項４】
前記カバー体が複数の収容部を有する構成をしたことを特徴とする請求項１に記載の帯状物用包装。
【請求項５】
前記収容部前端のカバー体上に蓋体を備えた開口部を設けた構成をしたことを特徴とする請求項１に記載の帯状物用包装。
【請求項６】
前記収容部前端の背面板上に蓋体を備えた開口部を設けた構成をしたことを特徴とする請求項１に記載の帯状物用包装。
【請求項７】
前記背面板上部の適当な位置に掛け孔を開設した構成をしたことを特徴とする請求項１に記載の帯状物用包装。
【請求項８】
前記収容部の両側壁面の中心にそれぞれ内側に凹んだ軸部を設けた構成をしたことを特徴とする請求項１に記載の帯状物用包装。
【請求項９】
前記収容部内部にU字形支持体を設け、前記U字形支持体の両側を上方向に折り曲げ前記収容部の壁面の形状に対応する壁面を設け、前記U字形支持体の両側壁面の中心にそれぞれ内側に凹んだ軸部を設けた構成をしたことを特徴とする請求項１に記載の帯状物用包装。
【考案の詳細な説明】
【技術分野】
【０００１】
本考案は、帯状物用包装に関し、詳細には、帯状物を包装するための包装であって、引き出す方式で帯状物を取り出して使用でき、且つ、包装全体を外さなくとも使用できる、帯状物用包装に関する。
【背景技術】
【０００２】
従来のよくある帯状物には、紡織品及び紙類があり、その種類にはサテンリボン、オーガンジーリボン、メタリックリボン、チェックリボン、プリントリボン、クリスマスリボン、プレゼント用リボン、織テープ、フラワーリボン、園芸用テープ、祝日装飾リボン、高周波サテンリボン、縁取りリボン、レースリボン等がある。図１に示すように、従来は帯状物aを直接紙筒b上に巻きつけて巻筒状にし、使用時には直接引き出すか、その中心の紙筒bを固定軸上に通して直接連続巻き取り作業を行うが、これは使い勝手はいいものの、外側に包装の保護がないため、容易に収納または使用時に前記帯状物aの表面が汚れてしまう。また、このような巻き筒式の包装方式はその使用時に引き出す長さを制御しにくく、且つ取り出した後の帯状物がよれてしまうという状況が発生しやすい。さらに、使用完了後はテープで先端を固定するしか方法がないため、改良の必要がある。
【０００３】
そこで本考案は、帯状物専用の包装を設計したものであり、包装を開いて外す手間を省いただけでなく、迅速且つ便利に包装内部の帯状物を取り出すことができ、また取り出すときに帯状物によれが発生しにくく、さらに包装の掛け孔を利用することで任意の場所に吊り下げることができ、帯状物の正面が常に使用者に向いており、その形式及びサイズを判別しやすい帯状物用包装で使用者を助けるものである。
【考案の開示】
【考案が解決しようとする課題】
【０００４】
本考案は上述の従来構造の欠点に鑑みて、考案者の関連事業における長年の経験に基づいて研究を重ね、斬新な帯状物用包装を設計したものである。
【０００５】
本考案の主な目的は、使用時に包装を外す必要がなく、迅速且つ便利に帯状物を取り出すことができる、帯状物用包装を提供することにある。
【課題を解決するための手段】
【０００６】
上述の目的を達するため、本考案の帯状物用包装は主に、カバー体、背面板及び内容物から構成され、そのうち、前記内容物は巻き取り式の帯状物であり、前記カバー体は適当な位置に１つまたは複数の収容部を備え、前記収容部の形状及び大きさはその内容物の形状及び大きさより若干大きく設け、且つ、側面から見ると、前記収容部の中央部は略半円形で片側または両側が徐々に外側に広がる形状を呈し、内容物を前記収容部に設置した後、最後にカバー体の四周を背面板上に封止し、且つ、前記収容部前端のカバー体または背面板に蓋体を備えた開口部を開設し、一定長さの内容物を前記開口部の位置まで留めておく。このほか、前記背面板上方の適当な位置に掛け孔を開設する。
【考案の効果】
【０００７】
上述の構造により、その使用時には背面板またはカバー体前端に予め設けた開口部の蓋体を開き、直接内容物を取り出すだけでよく、包装を開いて外すときの手間が省けるだけでなく、迅速且つ便利に内容物を取り出すことができ、自由に取り出す長さを制御できると共に、取り出し時に内容物がよれることもない。且つ、背面板上に掛け孔が設けられているため、任意の場所に吊り下げることができ、内容物の正面が常に使用者に向き、内容物の形式及びサイズを用意に判別できるため、使用者の使用の助けとなる。      
【考案を実施するための最良の形態】
【０００８】
本考案の構造、装置及びその特徴について、以下、具体的な実施例と図面に基づき詳細に説明する。
【０００９】
図２から図７に示すように、本考案の帯状物用包装は主にカバー体１０、背面板２０及び内容物３０から構成される。
【００１０】
そのうち、前記カバー体１０はその適当な位置に１つまたは複数の収容部１１が設けられ、前記収容部１１の形状及び大きさはその内容物３０の形状及び大きさよりやや大きいものとし、且つ、側面から見ると、収容部１１の中央部は略半円形で片側または両側が徐々に外側に広がる形状を呈し、さらに、収容部１１前端のカバー体１０上に蓋体１２を備えた開口部１３が開設される。
【００１１】
背面板２０は前記カバー体１０を封止するための底板であり、前記カバー体１０と封止した後、前記収容部１１前端の背面板２０上に開口部２２が開設される。または、蓋体２１を備えた開口部２２としてもよく、且つ、背面板２０の上縁部の適当な位置に掛け孔２３を開設する。
【００１２】
前記内容物３０は帯状物（例：サテンリボン、シルクリボン、カラーリボン等）を予め芯管３１上に巻いて巻き筒状にしたものである。
【００１３】
包装時には、前記内容物３０を収容部１１に設置した後、最後に前記カバー体１０の四周を背面板２０上に封止し、且つ、一定長さの前記内容物３０を開口部１３、２２に引き出しておく。
【００１４】
図８に示すように、本考案と内容物３０の結合及び使用上の利便性のため、特に本考案の収容部１１は両側壁面の中心に内側に向かって凹んだ軸部１１aが設けられ、内容物３０の中心の芯管３１を軸支し、内容物３０の位置を維持することができ、内容物３０が引っ張られすぎたり、引っ張る速度が速すぎたりして収容部１１と背面板２０間に引っかかるのを防ぐことができる。また、収容部１１内部に別途U字形支持体４０を設けてもよく、図９に示すように、前記U字形支持体４０は上方向に折り曲げて両側壁面が設けられ、且つ、前記収容部１１の側面の形状に対応するよう形成され、前記U字形支持体４０の両側壁面の中心には内側に向かって凹んだ軸部４１が設けられ、前記U字形支持体４０と内容物３０を結合して使用するとき、前記内容物３０の芯管３１が両側壁面間の前記軸部４１に挟まれ、さらに収容部１１内に設置され、収容部１１を備えたカバー体１０と背面板２０を結合させた後の空間に前記U字形支持体４０が位置決めされ、内容物を固定する効果が得られる。さらに、前記U字形支持体４０は直接背面板２０の収容部１１に対応する位置に固定した後、前記内容物３０をU字形支持体４０間に設置し、最後に背面板２０と収容部１１を備えたカバー体１０を結合しても同様の効果が得られ、使用に便利であるだけでなく、組み立て人員による内容物３０の包装にも便利である。
【００１５】
上述のように、本考案の帯状物用包装は、使用時に包装を取り外す必要がなく、迅速且つ便利に帯状物を取り出すことができ、実用性と進歩性を兼ね備えているため、特許法の規定に基づき、ここに実用新案登録を出願するものである。
【図面の簡単な説明】
【００１６】
【図１】従来の帯状物の包装を示す立体斜視図である。
【図２】本考案の立体分解図である。
【図３】本考案のカバー体の別の実施例を示す立体斜視図である。
【図４】本考案の別の実施例の立体斜視図である。
【図５】本考案のさらに別の実施例の立体斜視図である。
【図６】本考案のさらに別の実施例の立体斜視図である。
【図７】本考案の組み立て後の断面図である。
【図８】本考案の収容部の別の実施例を示す立体分解図である。
【図９】本考案の別の実施例を示す立体分解図である。
【符号の説明】
【００１７】
１０    カバー体      
２０    背面板
３０    内容物   
１１    収容部
１２、２１  蓋体 
１３、２２  開口部
２３    掛け孔   
１１a、４１  軸部
３１    芯管      
４０    U字形支持体
【図１】
0003122850.tif 000003
【図２】
0003122850.tif 000004
【図３】
0003122850.tif 000005
【図４】
0003122850.tif 000006
【図５】
0003122850.tif 000007
【図６】
0003122850.tif 000008
【図７】
0003122850.tif 000009
【図８】
0003122850.tif 000010
【図９】
0003122850.tif 000011
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
主にカバー体、背面板及び内容物から構成され、前記内容物が巻き取られた形態の帯状物であり、そのうち、前記カバー体が適当な位置に収容部を備え、前記収容部の形状及び大きさが前記内容物の形状及び大きさより若干大きく設けられ、前記内容物を前記収容部に設置した後、前記カバー体の四周を前記背面板上に封止し、且つ、前記在背面板上の前記収容部前端の位置に取り出し用の開口部を設けた構成をしたことを特徴とする帯状物用包装具。
【請求項２】
前記収容部の形状が側面から見ると中央部が略半円形であり両側が外側に向かって広がる形状を呈する構成をしたことを特徴とする請求項１に記載の帯状物用包装具。
【請求項３】
前記収容部の形状が側面から見ると中央部が略半円形であり片側が徐々に外側に向かって広がる形状を呈する構成をしたことを特徴とする請求項１に記載の帯状物用包装具。
【請求項４】
前記カバー体が複数の収容部を有する構成をしたことを特徴とする請求項１に記載の帯状物用包装具。
【請求項５】
前記収容部前端のカバー体上に蓋体を備えた開口部を設けた構成をしたことを特徴とする請求項１に記載の帯状物用包装具。
【請求項６】
前記収容部前端の背面板上に蓋体を備えた開口部を設けた構成をしたことを特徴とする請求項１に記載の帯状物用包装具。
【請求項７】
前記背面板上部の適当な位置に掛け孔を開設した構成をしたことを特徴とする請求項１に記載の帯状物用包装具。
【請求項８】
前記収容部の両側壁面の中心にそれぞれ内側に凹んだ軸部を設けた構成をしたことを特徴とする請求項１に記載の帯状物用包装具。
【請求項９】
前記収容部内部にU字形支持体を設け、前記U字形支持体の両側を上方向に折り曲げ前記収容部の壁面の形状に対応する壁面を設け、前記U字形支持体の両側壁面の中心にそれぞれ内側に凹んだ軸部を設けた構成をしたことを特徴とする請求項１に記載の帯状物用包装具。
【手続補正２】
【補正対象書類名】明細書
【補正対象項目名】全文
【補正方法】変更
【補正の内容】
【考案の詳細な説明】
【技術分野】
【０００１】本考案は、帯状物用包装具に関し、詳細には、帯状物を包装するための包装具であって、引き出す方式で帯状物を取り出して使用でき、且つ、包装全体を外さなくとも使用できる、帯状物用包装具に関する。
【背景技術】
【０００２】従来のよくある帯状物には、紡織品及び紙類があり、その種類にはサテンリボン、オーガンジーリボン、メタリックリボン、チェックリボン、プリントリボン、クリスマスリボン、プレゼント用リボン、織テープ、フラワーリボン、園芸用テープ、祝日装飾リボン、高周波サテンリボン、縁取りリボン、レースリボン等がある。図１に示すように、従来は帯状物aを直接紙筒b上に巻きつけて巻筒状にし、使用時には直接引き出すか、その中心の紙筒bを固定軸上に通して直接連続巻き取り作業を行うが、これは使い勝手はいいものの、外側に包装の保護がないため、容易に収納または使用時に前記帯状物aの表面が汚れてしまう。また、このような巻き筒式の包装方式はその使用時に引き出す長さを制御しにくく、且つ取り出した後の帯状物がよれてしまうという状況が発生しやすい。さらに、使用完了後はテープで先端を固定するしか方法がないため、改良の必要がある。【０００３】そこで本考案は、帯状物専用の包装を設計したものであり、包装を開いて外す手間を省いただけでなく、迅速且つ便利に包装内部の帯状物を取り出すことができ、また取り出すときに帯状物によれが発生しにくく、さらに包装の掛け孔を利用することで任意の場所に吊り下げることができ、帯状物の正面が常に使用者に向いており、その形式及びサイズを判別しやすい帯状物用包装具で使用者を助けるものである。
【考案の開示】
【考案が解決しようとする課題】
【０００４】本考案は上述の従来構造の欠点に鑑みて、考案者の関連事業における長年の経験に基づいて研究を重ね、斬新な帯状物用包装具を設計したものである。【０００５】本考案の主な目的は、使用時に包装を外す必要がなく、迅速且つ便利に帯状物を取り出すことができる、帯状物用包装具を提供することにある。
【課題を解決するための手段】
【０００６】上述の目的を達するため、本考案の帯状物用包装具は主に、カバー体、背面板及び内容物から構成され、そのうち、前記内容物は巻き取り式の帯状物であり、前記カバー体は適当な位置に１つまたは複数の収容部を備え、前記収容部の形状及び大きさはその内容物の形状及び大きさより若干大きく設け、且つ、側面から見ると、前記収容部の中央部は略半円形で片側または両側が徐々に外側に広がる形状を呈し、内容物を前記収容部に設置した後、最後にカバー体の四周を背面板上に封止し、且つ、前記収容部前端のカバー体または背面板に蓋体を備えた開口部を開設し、一定長さの内容物を前記開口部の位置まで留めておく。このほか、前記背面板上方の適当な位置に掛け孔を開設する。
【考案の効果】
【０００７】上述の構造により、その使用時には背面板またはカバー体前端に予め設けた開口部の蓋体を開き、直接内容物を取り出すだけでよく、包装を開いて外すときの手間が省けるだけでなく、迅速且つ便利に内容物を取り出すことができ、自由に取り出す長さを制御できると共に、取り出し時に内容物がよれることもない。且つ、背面板上に掛け孔が設けられているため、任意の場所に吊り下げることができ、内容物の正面が常に使用者に向き、内容物の形式及びサイズを用意に判別できるため、使用者の使用の助けとなる。      
【考案を実施するための最良の形態】
【０００８】本考案の構造、装置及びその特徴について、以下、具体的な実施例と図面に基づき詳細に説明する。【０００９】図２から図７に示すように、本考案の帯状物用包装具は主にカバー体１０、背面板２０及び内容物３０から構成される。【００１０】そのうち、前記カバー体１０はその適当な位置に１つまたは複数の収容部１１が設けられ、前記収容部１１の形状及び大きさはその内容物３０の形状及び大きさよりやや大きいものとし、且つ、側面から見ると、収容部１１の中央部は略半円形で片側または両側が徐々に外側に広がる形状を呈し、さらに、収容部１１前端のカバー体１０上に蓋体１２を備えた開口部１３が開設される。【００１１】背面板２０は前記カバー体１０を封止するための底板であり、前記カバー体１０と封止した後、前記収容部１１前端の背面板２０上に開口部２２が開設される。または、蓋体２１を備えた開口部２２としてもよく、且つ、背面板２０の上縁部の適当な位置に掛け孔２３を開設する。【００１２】前記内容物３０は帯状物（例：サテンリボン、シルクリボン、カラーリボン等）を予め芯管３１上に巻いて巻き筒状にしたものである。【００１３】包装時には、前記内容物３０を収容部１１に設置した後、最後に前記カバー体１０の四周を背面板２０上に封止し、且つ、一定長さの前記内容物３０を開口部１３、２２に引き出しておく。【００１４】図８に示すように、本考案と内容物３０の結合及び使用上の利便性のため、特に本考案の収容部１１は両側壁面の中心に内側に向かって凹んだ軸部１１aが設けられ、内容物３０の中心の芯管３１を軸支し、内容物３０の位置を維持することができ、内容物３０が引っ張られすぎたり、引っ張る速度が速すぎたりして収容部１１と背面板２０間に引っかかるのを防ぐことができる。また、収容部１１内部に別途U字形支持体４０を設けてもよく、図９に示すように、前記U字形支持体４０は上方向に折り曲げて両側壁面が設けられ、且つ、前記収容部１１の側面の形状に対応するよう形成され、前記U字形支持体４０の両側壁面の中心には内側に向かって凹んだ軸部４１が設けられ、前記U字形支持体４０と内容物３０を結合して使用するとき、前記内容物３０の芯管３１が両側壁面間の前記軸部４１に挟まれ、さらに収容部１１内に設置され、収容部１１を備えたカバー体１０と背面板２０を結合させた後の空間に前記U字形支持体４０が位置決めされ、内容物を固定する効果が得られる。さらに、前記U字形支持体４０は直接背面板２０の収容部１１に対応する位置に固定した後、前記内容物３０をU字形支持体４０間に設置し、最後に背面板２０と収容部１１を備えたカバー体１０を結合しても同様の効果が得られ、使用に便利であるだけでなく、組み立て人員による内容物３０の包装にも便利である。【００１５】上述のように、本考案の帯状物用包装具は、使用時に包装を取り外す必要がなく、迅速且つ便利に帯状物を取り出すことができる。
【図面の簡単な説明】
【００１６】
【図１】従来の帯状物の包装を示す立体斜視図である。
【図２】本考案の立体分解図である。
【図３】本考案のカバー体の別の実施例を示す立体斜視図である。
【図４】本考案の別の実施例の立体斜視図である。
【図５】本考案のさらに別の実施例の立体斜視図である。
【図６】本考案のさらに別の実施例の立体斜視図である。
【図７】本考案の組み立て後の断面図である。
【図８】本考案の収容部の別の実施例を示す立体分解図である。
【図９】本考案の別の実施例を示す立体分解図である。
【符号の説明】
【００１７】１０    カバー体                                                      ２０    背面板３０    内容物                                                         １１    収容部１２、２１  蓋体                                                       １３、２２  開口部２３    掛け孔                                                         １１a、４１  軸部３１    芯管                                                            ４０    U字形支持体